(57)【要約】      （修正有）【課題】ホース表面に識別記号を分割して連続的に、かつ精度良く印刷する場合に、最適な転写駆動力により識別記号を印刷できる印刷装置を提供する。【解決手段】前記支持フレーム１の背面側には、中間転写ホイール３の転写駆動力を調整するためのクラッチ機構等の補助装置７が設けてある。歯車伝達機構６は、ベベルギャ８ａ，８ｂ、駆動シャフト９及びベベルギャ１０ａ，１０ｂを介して前記中間転写ホイール３の回転軸１１に取付けられた平歯車１２に駆動力が伝達される。この平歯車１２には、前記複数の版胴２Ａ，２Ｂ，２Ｃの支持軸１３Ａ，１３Ｂ，１３Ｃに取付けられた複数のガイド歯車１４ａ，１４ｂ，１４ｃが噛合し、またガイド歯車１４ａ，１４ｂ，１４ｃには、それぞれインクローラ２ａ，２ｂ，２ｃの支持軸１５Ａ，１５Ｂ，１５Ｃに取付けられた複数のガイド歯車１６ａ，１６ｂ，１６ｃが噛合する。【選択図】  図２
2006289621.tif 000002
【特許請求の範囲】
【請求項１】
駆動モータの駆動力を歯車伝達機構を介して中間転写ホイールの駆動歯車及びこの駆動歯車に噛合する複数の版胴用の歯車に伝達するように構成し、前記中間転写ホイールと圧胴との間に被印刷物を挿通させて、該被印刷物の表面に識別記号を印刷する印刷装置において、
前記駆動モータの出力軸と歯車伝達機構との間に、前記中間転写ホイールの転写駆動力を調整するための補助装置を設けたことを特徴とする印刷装置。
【請求項２】
前記識別記号を、被印刷物の表面に分割して印刷する請求項１に記載の印刷装置。
【請求項３】
前記被印刷物がホースである請求項１または２に記載の印刷装置。
【請求項４】
前記補助装置が、クラッチ機構である請求項１，２または３に記載の印刷装置。
【請求項５】
前記被印刷物の識別記号が、品名，サイズ，生産履歴、またはこれらを組み合わせたものである請求項１，２，３または４に記載の印刷装置。
【発明の詳細な説明】
【技術分野】
【０００１】
この発明は、印刷装置に係わり、更に詳しくは例えば、ホースの表面に識別記号を最適な転写駆動力（転圧力）で連続的に、かつ精度良く印刷することを可能とした印刷装置に関するものである。
【背景技術】
【０００２】
従来、ホース等の長尺状の被印刷物の表面に、品名，サイズ，生産履歴等の識別記号を連続的に印刷する場合、複数の版胴が接触する中間転写ホイールと圧胴との間に被印刷物を挿通させ、前記中間転写ホイールに転写された識別記号を被印刷物の表面に連続的に印刷するオフセット印刷装置が知られている（例えば、特許文献１参照）。
【０００３】
ところで、従来のホース表面への識別記号（品名，サイズ，生産履歴等）の印刷は、一連の個別の中間転写ホイールを使用しているが、ホース表面への識別記号を分割したり、組み合わせて印刷した場合、識別記号の印刷は、ホースの製造工程のホースカバー押出し直後に同一駆動系で実施するため、中間転写ホイールとカバーゴムとの接触摩擦だけでは、転圧力不足で印刷がうまくいかないと言う問題があった。
【０００４】
そこで、ホース表面に対して中間転写ホイールを強く押し付け過ぎる（転圧力を強くする）とカバーゴムが変形したり、押し付け力を弱くする（転圧力を弱くする）と回転不良による印刷ズレが発生し、製品不良を起こすと言う問題があった。
【特許文献１】特開２００２−２２５２３２号公報
【発明の開示】
【発明が解決しようとする課題】
【０００５】
この発明はかかる従来の問題点に着目し、ホース表面に識別記号を分割して連続的に、かつ精度良く印刷する場合に、最適な転写駆動力により識別記号を印刷でき、印刷不良等の製品不良等を有効に防止することが出来る印刷装置を提供することを目的とするものである。
【課題を解決するための手段】
【０００６】
この発明は上記目的を達成するため、駆動モータの出力軸と歯車伝達機構との間に、前記中間転写ホイールの転写駆動力を調整するための補助装置を設けたことを要旨とするものである。
【０００７】
ここで、前記識別記号を、被印刷物の表面に分割して印刷することが出来、また前記被印刷物としては、ホースである。また前記補助装置が、クラッチ機構であり、前記被印刷物の識別記号が、品名，サイズ，生産履歴、またはこれらを組み合わせたものである。
【０００８】
このように構成することで、ホース表面に識別記号を分割して連続的に、かつ精度良く印刷する場合に、最適な転写駆動力により識別記号を印刷でき、印刷不良等の製品不良等を有効に防止することが出来るものである。
【発明の効果】
【０００９】
この発明は、上記のように駆動モータの出力軸と歯車伝達機構との間に、前記中間転写ホイールの転写駆動力を調整するための補助装置を設けたので、以下のような優れた効果を奏するものである。
（ａ）．ホースの表面に識別記号を分割し、組み合わせて印刷することで、中間転写ホイールの更新頻度が大幅に減少し、経費削減を図ることが出来る。
（ｂ）．補助装置を設けたことにより、最適な転写駆動力により識別記号を印刷でき、印刷時の被印刷物の表面の変形や、印刷ずれが発生しない中間転写ホイールの転写駆動力を得ることが出来、常に精度良く印刷することが出来、製品不良等を有効に防止することが出来る。
【発明を実施するための最良の形態】
【００１０】
以下、添付図面に基づき、この発明の実施形態を説明する。  
【００１１】
図１は、この発明を実施した印刷装置の概略正面図、図２は図１の背面側における印刷装置の駆動機構の概略背面図を示し、前記印刷装置の正面図側では、支持フレーム１の表面側にオフセット印刷装置と同様な、複数の版胴２Ａ，２Ｂ，２Ｃが接触する中間転写ホイール３と、この中間転写ホイール３の下部に昇降可能な圧胴４が配設され、中間転写ホイール３と圧胴４との間には、ホース等の被印刷物Ｗを矢印方向に挿通させ、前記中間転写ホイール３の外周面に転写された品名，サイズ，生産履歴等の識別記号Ｚを被印刷物Ｗの表面に分割して連続的に印刷するように構成されている。
【００１２】
例えば、版胴２Ａに品名、版胴２Ｂにサイズ、版胴２Ｃに生産履歴を分割して印刷することが出来、また版胴２Ａ，２Ｂ，２Ｃを入れ換えて、これらの識別記号Ｚを組み合わせて印刷することが出来る。更に、版胴の数を増減させて任意の識別記号Ｚを印刷することが出来る。なお、２ａ，２ｂ，２ｃは、版胴２Ａ，２Ｂ，２Ｃに接触するインクローラを示している。
【００１３】
また、前記支持フレーム１の背面側には、図２に示すように、駆動モータ５の出力軸５ａと歯車伝達機構６との間に、前記中間転写ホイール３の転写駆動力を調整するためのクラッチ機構等の補助装置７が設けてある。
【００１４】
前記歯車伝達機構６は、ベベルギャ８ａ，８ｂ、駆動シャフト９及びベベルギャ１０ａ，１０ｂを介して前記中間転写ホイール３の回転軸１１に取付けられた平歯車１２に駆動力が伝達されるように構成され、またこの平歯車１２には、前記複数の版胴２Ａ，２Ｂ，２Ｃの支持軸１３Ａ，１３Ｂ，１３Ｃに取付けられた複数のガイド歯車１４ａ，１４ｂ，１４ｃが噛合し、またガイド歯車１４ａ，１４ｂ，１４ｃには、それぞれインクローラ２ａ，２ｂ，２ｃの支持軸１５Ａ，１５Ｂ，１５Ｃに取付けられた複数のガイド歯車１６ａ，１６ｂ，１６ｃが噛合するように構成されている。
【００１５】
この発明の実施形態では、前記ホース等の被印刷物Ｗの長手方向の表面に、品名，サイズ，生産履歴等の識別記号Ｚを分割して連続的に印刷する場合には、予め被印刷物Ｗの表面に対する転写駆動力を前記クラッチ機構等の補助装置７に設定しておき、そして、中間転写ホイール３と圧胴４との間に被印刷物Ｗを矢印方向に挿通させ、前記中間転写ホイール３の外周面に転写された品名，サイズ，生産履歴等の識別記号Ｚを被印刷物Ｗの表面に分割して連続的に印刷する。
【００１６】
この際、補助装置７に予め設定した転写駆動力よりも高い転写駆動力を補助装置７が検出すると、駆動モータ５の回転駆動力を歯車伝達機構６側に伝達しないように補助装置７のクラッチ機構等で滑りを生じさせ、また予め設定した転写駆動力が戻った場合には、駆動モータ５の回転駆動力を歯車伝達機構６側に直接伝達するように構成するものである。
【００１７】
このように、駆動モータ５の出力軸５ａと歯車伝達機構６との間に、前記中間転写ホイール３の転写駆動力を調整するための補助装置７を設け、被印刷物Ｗの表面に識別記号Ｚを分割し、組み合わせて印刷することで、中間転写ホイール３の更新頻度が大幅に減少し、経費削減を図ることが出来る。
【００１８】
また上記のようなクラッチ機構等の補助装置７を設けたことにより、最適な転写駆動力により識別記号Ｚを印刷でき、印刷時の被印刷物の表面の変形や、印刷ずれが発生しない中間転写ホイール３の転写駆動力を得ることが出来、常に精度良く印刷することが出来、製品不良等を有効に防止することが出来るものである。
【図面の簡単な説明】
【００１９】
【図１】この発明を実施した印刷装置の概略正面図である。
【図２】図１の背面側における印刷装置の駆動機構の概略背面図である。
【符号の説明】
【００２０】
１  支持フレーム
２Ａ，２Ｂ，２Ｃ  版胴
２ａ，２ｂ，２ｃ  インクローラ
３  中間転写ホイール
４  圧胴
５  駆動モータ
５ａ  出力軸
６  歯車伝達機構
７  補助装置
８ａ，８ｂ  ベベルギャ
９  駆動シャフト
１０ａ，１０ｂ  ベベルギャ
１１  回転軸
１２  平歯車
１３Ａ，１３Ｂ，１３Ｃ  支持軸
１４ａ，１４ｂ，１４ｃ  ガイド歯車
１５Ａ，１５Ｂ，１５Ｃ  支持軸
１６ａ，１６ｂ，１６ｃ  ガイド歯車
Ｗ  被印刷物
Ｚ  識別記号
【図１】
2006289621.tif 000003
【図２】
2006289621.tif 000004